(57)【要約】【課題】経済性、安全性、環境保護性を有する構造が簡単なマイクロ発電機の構造を提供する。【解決手段】本発明のマイクロ発電機の構造は、中央に貫通孔を有する永久磁石が所定の切り口を有し、中央に貫通孔を有する調和器と結合し、永久磁石の微量な不平衡状態を形成し、永久磁石の貫通孔と調和器の貫通孔を載置体内の柱体上に被せ、且つ載置体の外は、複数のコイルを巻きつけたコイルソケットを固定設置し、永久磁石と調和器が外力を受けた後、偏心方式によって載置体内で絶え間なく回転又は揺動し、コイルソケット上のコイル内の磁束の発生を変化させ、微量センサー電流を発生させ、電流を外部回路に伝送する。【選択図】図２
2008048596.tif 000002
【特許請求の範囲】
【請求項１】
少なくとも永久磁石、調和器、載置体およびコイルソケットから組成され、そのうち、
前記永久磁石は、所定の切り口を設けてなり、且つ中央に貫通孔を有し、
前記調和器は、前記永久磁石と相互に結合させ永久磁石が最適に調和する作用を有し、永久磁石の微量な不平衡状態を形成し、且つ調和器の中央に貫通孔を有し、
前記載置体は、その内部に柱体を設けてなり、該柱体は永久磁石の貫通孔と調和器の貫通孔とをその上に被せ、永久磁石と調和器が外力を受けた後、偏心方式によって載置体内において回転を行うことができ、
前記コイルソケットは、載置体の外に固定設置され、且つコイルソケット上には複数のコイルを設けることを特徴とするマイクロ発電機の構造。
【請求項２】
前記載置体は上殻体と下殻体とその中央の柱体から組成され、上殻体の中央には貫通孔を有し、且つ載置体の柱体は、中空状を呈し、固定ピンをその中に通して外部に露出させることを特徴とする請求項１記載のマイクロ発電機の構造。
【請求項３】
前記永久磁石、調和器、および載置体がそれぞれ一体に形成されてなることを特徴とする請求項１記載のマイクロ発電機の構造。
【発明の詳細な説明】
【技術分野】
【０００１】
本発明は、マイクロ発電機に関し、特に、永久磁石を調和器と結合し、永久磁石の僅かな不平衡状態を形成して、載置体内において永久磁石の偏心方式により回転(又は揺動)できるようにし、載置体外に固定設置されたコイルソケット上のコイル内の磁束の発生を変化させ、微量なセンサー電流を発生させるマイクロ発電機に関する。
【背景技術】
【０００２】
科学技術の発展と時代の進歩に伴い、工業化の社会が徐々に情報化社会に置換され、且つ電子情報通信の発達に従い、電気を通して初めてその機能を発揮できる電子製品が益々多くなり、人類の生活と「電気」は、既に切り離せないものとなっている。しかしながら、エネルギー不足の危機に直面し、世界各国は、積極的に、体積を更に小さく、重量を更に軽く、エネルギー密度が更に大きく、経済性、安全性および環境保全性を具えた新たな試案を開発している。従って、マイクロ発電機は日常生活において、応用範囲が広がり、日増しに発展している。
【０００３】
図４は、従来の発電機Ａの立体断面説明図であり、殻体Ａ１、殻体Ａ１内の磁極リングＡ２および殻体Ａ１中央の回転可能な電機子Ａ３から構成され、電機子Ａ３の回転と電極リングＡ２との間の磁場効果を利用してセンサー電力を発生し、電機子Ａ３上方のカーボンブラシＡ４から電力を導出し使用する。
【０００４】
但し、前記の従来の発電機Ａ４は実際の運用において、以下の欠点を有する：
一、電機子Ａ３が複数のシリコンチップＡ３１から組成されることによって、電機子Ａ３自身と殻体Ａ１内壁に組み込まれる電極リングＡ２間に磁場効果を発生し、磁束が流動する方向に吸い寄せられるので、電機子Ａ３が回転する時、該磁力に反抗する必要があり、該磁力より大きな外力を有し、回転し、余計なエネルギー消耗を引き起こす。
二、カーボンブラシＡ４と電機子Ａ３との間が相互に接触導通することによって、電力を導出できるので、長時間使用した後、カーボンブラシＡ４は損耗し、更には、発電機Ａが発生する電圧が小さくなり、且つ安定せず、寿命が短くなる欠点がある。
【特許文献１】特開２００５−１９８３７１号公報
【発明の開示】
【発明が解決しようとする課題】
【０００５】
本発明の目的は、物体が回転／揺動する際の地球の引力原理を利用して、動態が形成する外力を介して、本発明の永久磁石が微量な不平衡（偏心）の方式により、載置体内において絶え間なく回転(又は揺動)を行うようにし、載置体外に固定設置されたコイルソケット上のコイル内の磁束の発生を変化させ、微量なセンサー電流を発生させ、電流を外部回路に伝送することである。
【課題を解決するための手段】
【０００６】
上記課題を解決するために、請求項１に記載の本発明は、マイクロ発電機の構造において、少なくとも永久磁石、調和器、載置体およびコイルソケットから組成され、そのうち、前記永久磁石は、所定の切り口を設けてなり、且つ中央に貫通孔を有し、前記調和器は、前記永久磁石と相互に結合させ永久磁石が最適に調和する作用を有し、永久磁石の微量な不平衡状態を形成し、且つ調和器の中央に貫通孔を有し、前記載置体は、その内部に柱体を設けてなり、該柱体は永久磁石の貫通孔と調和器の貫通孔とをその上に被せ、永久磁石と調和器が外力を受けた後、偏心方式によって載置体内において回転を行うことができ、前記コイルソケットは、載置体の外に固定設置され、且つコイルソケット上には複数のコイルを設けることを特徴とする。
【０００７】
請求項２に記載の発明は、請求項１記載のマイクロ発電機の構造において、前記載置体は上殻体と下殻体とその中央の柱体から組成され、上殻体の中央には貫通孔を有し、且つ載置体の柱体は、中空状を呈し、固定ピンをその中に通して外部に露出させることができることを特徴とする。
【０００８】
請求項３に記載の発明は、請求項１記載のマイクロ発電機の構造において、前記永久磁石、調和器、および載置体がそれぞれ一体に形成されてなることを特徴とする請求項１記載のマイクロ発電機の構造。
【発明の効果】
【０００９】
本発明のマイクロ発電機の構造は、以下の利点を有する。
一、従来技術のマイクロ発電機が回転時、磁力より大きな外力を加えて、反抗回転のエネルギー損失が発生する問題を効果的に解決する。
二、本発明のマイクロ発電機は、カーボンブラシ等で電力を導出する必要がないので、摩耗部分が少なく、従来技術の電圧不安定および寿命が短くなる欠点を効率的に解決できる。
三、本発明のマイクロ発電機の構造が簡単であることによって、エネルギー危機に直面する環境の下、極めて経済性、安全性、環境保存性を有する発明である。
【発明を実施するための最良の形態】
【００１０】
本発明は、「マイクロ発電機の構造」であり、図１、図２、図３は、本発明の実施例の分解、組み合わせ断面、組み合わせ外観説明図であり、本発明のマイクロ発電機１は、少なくとも永久磁石１１、調和器(matchinng kit)１２、載置体１３およびコイルソケット１４から組成される。
【００１１】
そのうち、永久磁石１１上には所定の切り口１１１(図１参照)を設けてなり、且つ中央には、貫通孔１１０を有し、調和器１２の中央には貫通孔１２０を有し、永久磁石１１と相互に結合して永久磁石１１の微量な不平衡状態を形成する。載置体１３は上殻体１３１と下殻体１３２およびその中央に有する柱体１３３から組成され、永久磁石１１の貫通孔１１０と調和器１２の貫通孔１２０が載置台１３の柱体１３３を被覆し（図１、図２参照）、偏心方式で回転を行うようにする。コイルソケット１４は載置体１３の外に固定設置され、且つコイルソケット１４上には、複数のコイル１４１を設けてなる。
【００１２】
この他、固定ピン１５によって載置体１３の柱体１３３中に通して外部を露出し（図１、図２、図３参照）、マイクロ発電機１を動態の物品（図示せず）上に固定することに用い、そのうち、載置体１３の柱体１３３は中空状であり、上殻体１３１中央にも貫通孔１３０を有する。
【００１３】
前記の調和器１２は、永久磁石１１の傾むいて自由な回転／揺動を阻害しないようにスペーサー機能を有すると共に、永久磁石１１に対して最適な調和作用を得るもので、複数のコイル１４１に対して永久磁石１１に微量な不平衡状態を形成させる。
【００１４】
使用者は固定ピン１５を介して、マイクロ発電機１を動態の物品上に固定した後、動態が形成する外力を介して、及び、永久磁石１１が微量な不平衡（偏心）の方式および地球の引力の原理で、載置体１３内において自由に絶え間ない回転(又は揺動)を行うようにし、且つ載置体１３内の回転摩擦力の大きさは、その回転効率に直接影響する。言い換えれば、摩擦力が小さいほど、回転効率が高くなり、摩擦力が大きいほど、回転効率が低くなる。
【００１５】
また、永久磁石１１が絶え間なく載置体１３内において回転(又は揺動)する時、載置体１３外に固定設置されたコイルソケット１４上のコイル１４１内の磁束の発生を変化させ、微量なセンサー電流を発生させ、電流を外部回路に伝送する。
【００１６】
上述したように、本発明のマイクロ発電機１は、載置体１３内の微量な不平衡（偏心）をなす永久磁石１１を利用し、動態が形成する外力を介して、永久磁石１１が載置体１３内で絶え間なく回転するようにし、コイルソケット１４上のコイル１４１内の磁束の発生を変化させ、微量なセンサー電流を発生させる目的を達成し、エネルギー不足の危機に直面する環境の下、経済性、安全性、環境保護性を有する発明である。
【００１７】
なお、本発明では好ましい実施例を前述の通り開示したが、これらは決して本発明に限定するものではなく、当該技術を熟知する者なら誰でも、本発明の精神と領域を脱しない均等の範囲内で各種の変動や潤色を加えることができることは勿論である。
【図面の簡単な説明】
【００１８】
【図１】本発明の実施例の分解説明図である。
【図２】本発明の実施例の組み合わせ断面説明図である。
【図３】本発明の実施例の組み合わせ外観説明図である。
【図４】従来のマイクロ発電機の立体断面説明図である。
【符号の説明】
【００１９】
１  マイクロ発電機
１１  永久磁石
１１０ 貫通孔
１１１ 切り口
１２ 照合器
１２０ 貫通孔
１３ 載置体
１３０ 貫通孔
１３１ 上殻体
１３２  下殻体
１３３  柱体
１４  コイルソケット
１４１  コイル
１５  固定ピン
Ａ  発電機
Ａ１  殻体
Ａ２  磁極リング
Ａ３  電機子
Ａ３１  シリコンチップ
Ａ４  カーボンブラシ
【図１】
2008048596.tif 000003
【図２】
2008048596.tif 000004
【図３】
2008048596.tif 000005
【図４】
2008048596.tif 000006